【手続補正書】
【提出日】平成24年12月14日(2012.12.14)
【手続補正１】
【補正対象書類名】明細書
【補正対象項目名】００８０
【補正方法】変更
【補正の内容】
【００８０】
本出願では、以下の態様が提供される。
１．  光学スタックを含む多層光学フィルムであって、前記光学スタックが、ａ）第１のフッ素重合体材料を含む第１の光学層と、ｂ）第２のフッ素重合体材料を含む第２の光学層と、を含み、前記第１の光学層の少なくとも一部分及び前記第２の光学層の少なくとも一部分が、密接している、多層光学フィルム。
２．  前記第１のフッ素重合体材料と前記第２のフッ素重合体材料との屈折率差が、０．２０未満である、態様１に記載の多層光学フィルム。
３．  前記第１のフッ素重合体材料と前記第２のフッ素重合体材料との屈折率差が、０．１０未満である、態様１又は２に記載の多層光学フィルム。
４．  前記フッ素重合体材料が、ＴＦＥ、ＶＤＦ、ＶＦ、ＨＦＰ、ＣＴＦＥ、フルオロアルキルビニルエーテル、フルオロアルコキシビニルエーテル、フッ素化スチレン、ＨＦＰＯ、フッ素化シロキサン、又はこれらの組み合わせのモノマーの少なくとも１つの共重合単位から誘導される単独重合体又は共重合体を含む、態様１〜３のいずれか一項に記載の多層光学フィルム。
５．  前記フッ素重合体材料が、エチレンとテトラフロオルエチレンの共重合体、テトラフロオルエチレンとヘキサフルオロプロピレンとフッ化ビニリデンの共重合体、フッ化ビニリデンの単独重合体、フッ化ビニリデンの共重合体、テトラフロオルエチレンとプロピレンの共重合体、テトラフロオルエチレンとペルフルオロビニルエーテルの共重合体、ヘキサフルオロプロピレンとテトラフロオルエチレンとエチレンの共重合体、クロロトリフルオロエチレンの単独重合体、エチレンとクロロトリフルオロエチレンの共重合体、ヘキサフルオロプロピレン酸化物の単独重合体、４−フルオロ（２−トリフルオロメチル）スチレンの単独重合体、及びテトラフロオルエチレンとノルボルネンの共重合体からなる群から選択される、態様１〜４のいずれか一項に記載の多層光学フィルム。
６．  前記光学スタックが、フッ化ビニリデンの単独重合体と（テトラフロオルエチレン、ヘキサフルオロプロピレン、及びフッ化ビニリデンの共重合体）の層ペア、（エチレン及びクロロトリフルオロエチレンの共重合体）と（テトラフロオルエチレン、ヘキサフルオロプロピレン、及びフッ化ビニリデンの共重合体）の層ペア、（ヘキサフルオロプロピレン、テトラフロオルエチレン、及びエチレンの共重合体）と（テトラフロオルエチレン、ヘキサフルオロプロピレン、及びフッ化ビニリデンの共重合体）の層ペア、（ヘキサフルオロプロピレン、テトラフロオルエチレン、及びエチレンの共重合体）と（エチレン及びテトラフロオルエチレンの共重合体）の層ペア、（ヘキサフルオロプロピレン、テトラフロオルエチレン、及びエチレンの共重合体）と（テトラフロオルエチレン及びノルボルネンの共重合体）の層ペア、並びに（エチレン及びテトラフロオルエチレンの共重合体）と（テトラフロオルエチレン、ヘキサフルオロプロピレン、及びフッ化ビニリデンの共重合体）の層ペアからなる群から選択される層ペアを含む、態様１〜５のいずれか一項に記載の多層光学フィルム。
７．  前記第１のフッ素重合体材料又は前記第２のフッ素重合体材料の少なくとも１つが、複屈折である、態様１〜６のいずれか一項に記載の多層光学フィルム。
８．  前記光学スタックが、少なくとも５個の第１の光学層と、少なくとも５個の第２の光学層とを含む、態様１〜７のいずれか一項に記載の多層光学フィルム。
９．  前記光学スタックが、少なくとも５０個の第１の光学層と、少なくとも５０個の第２の光学層とを含む、態様１〜８のいずれか一項に記載の多層光学フィルム。
１０．  前記多層光学フィルムが延伸比を有し、全体延伸比が３：１を超える、態様１〜９のいずれか一項に記載の多層光学フィルム。
１１．  前記全体延伸比が、４：１を超える、態様１〜１０のいずれか一項に記載の多層光学フィルム。
１２．  前記全体延伸比が、６：１を超える、態様１〜１１のいずれか一項に記載の多層光学フィルム。
１３．  ａ）印刷、ｂ）接着剤、ｃ）耐引裂層、ｄ）紫外線吸収層、ｅ）スキン層、又はｆ）保護境界層のうちの少なくとも１つを更に含む、態様１〜１２のいずれか一項に記載の多層光学フィルム。
１４．  紫外線吸収化合物、赤外線吸収化合物、又はこれらの組み合わせを更に含み、前記第１の光学層、前記第２の光学層、又は任意の追加層が、前記紫外線吸収化合物、前記赤外線吸収化合物、又はこられの組み合わせを含む、態様１〜１３のいずれか一項に記載の多層光学フィルム。
１５．  必要に応じて機能性添加剤を更に含み、前記機能性添加剤が、加工添加剤である、態様１〜１４のいずれか一項に記載の多層光学フィルム。
１６．  前記多層フィルムが、ａ）約４００〜７００ｎｍの波長の少なくとも一部分、ｂ）約７００ｎｍを超える波長の少なくとも一部分、ｃ）約３００ｎｍ未満の波長の少なくとも一部分、又はｄ）約３００〜４００ｎｍの波長の少なくとも一部分のうちの少なくとも１つを透過する、態様１〜１５のいずれか一項に記載の多層光学フィルム。
１７．  前記多層フィルムが、ａ）約４００〜７００ｎｍの波長の少なくとも一部分、ｂ）約７００ｎｍを超える波長の少なくとも一部分、ｃ）約３００ｎｍ未満の波長の少なくとも一部分、又はｄ）約３００〜４００ｎｍの波長の少なくとも一部分のうちの少なくとも１つを反射する、態様１〜１６のいずれか一項に記載の多層光学フィルム。
１８．  態様１〜１７のいずれか一項に記載の多層光学フィルムを含む物品。
１９．  態様１８に記載の物品が、ａ）ソーラーパワー技術、ｂ）照明用途、ｃ）反射防止用途、又はｄ）産業用途のうちの少なくとも１つに使用される、多層光学フィルムを使用する方法。
２０．  多層光学フィルムを作成する方法であって、ａ）フッ素重合体材料を含む第１の光学層を提供する工程と、ｂ）フッ素重合体材料を含む第２の光学層を提供する工程と、ｃ）前記第１の光学層及び前記第２の光学層をウェブに共押出しする工程と、ｄ）前記第１の光学層及び前記第２の光学層を交互に配置して多層フィルムを作成する工程と、を含む、方法。
２１．  第１の光学層又は第２の光学層の少なくとも一方が、複屈折である、態様２０に記載の方法。
本発明の予測可能な改良及び変更が、本発明の範囲及び趣旨から逸脱せずに実施できることは、当業者には明らかである。本発明は、例証の目的のために本出願において説明された実施形態に限定されるべきではない。
【手続補正２】
【補正対象書類名】特許請求の範囲
【補正対象項目名】全文
【補正方法】変更
【補正の内容】
【特許請求の範囲】
【請求項１】
光学スタックを含む多層光学フィルムであって、前記光学スタックが、
ａ）第１のフッ素重合体材料を含む第１の光学層と、
ｂ）第２のフッ素重合体材料を含む第２の光学層と、を含み、
前記第１の光学層の少なくとも一部分及び前記第２の光学層の少なくとも一部分が、密接している、多層光学フィルム。
【請求項２】
請求項１に記載の多層光学フィルムを含む、物品。
【請求項３】
請求項２に記載の物品が、
ａ）ソーラーパワー技術、
ｂ）照明用途、
ｃ）反射防止用途、又は
ｄ）産業用途
のうちの少なくとも１つに使用される、多層光学フィルムを使用する方法。
【請求項４】
多層光学フィルムを作成する方法であって、
ａ）フッ素重合体材料を含む第１の光学層を提供する工程と、
ｂ）フッ素重合体材料を含む第２の光学層を提供する工程と、
ｃ）前記第１の光学層及び前記第２の光学層をウェブに共押出しする工程と、
ｄ）前記第１の光学層及び前記第２の光学層を交互に配置して多層フィルムを作成する工程と、を含む、方法。